(57)【要約】【課題】エプロンを備えた浴室において、エプロン内の空間の換気を行うことのできる浴室の換気構造を提供する。【解決手段】浴槽１のフランジ部１１と浴室床２との間に、洗い場から湯水が浴槽１側に浸入しないようにするエプロン１２が設けてある。浴室壁３と浴室床２と浴槽１のフランジ部１１とエプロン１２とで囲まれるエプロン１２内の空間１３の換気を行うため、エプロン１２内の空間１３に対応する浴室壁３に通気開口３０を形成する。【選択図】図１
2009287802.tif 000002
【特許請求の範囲】
【請求項１】
浴槽のフランジ部と浴室床との間に、洗い場から湯水が浴槽側に浸入しないようにするエプロンを設け、浴室壁と浴室床と浴槽のフランジ部とエプロンとで囲まれるエプロン内の空間の換気を行うため、エプロン内の空間に対応する浴室壁に通気開口を形成して成ることを特徴とする浴室の換気構造。
【請求項２】
通気開口に通気風量の調節機構を設けて成る特徴とする請求項１記載の浴室の換気構造。
【請求項３】
通気開口に、浴室外からエプロン内の空間に空気が流入可能で且つエプロン内の空間から浴室外に流出不可となる逆止構造を設けて成ることを特徴とする請求項１又は２記載の浴室の換気構造。
【発明の詳細な説明】
【技術分野】
【０００１】
本発明は、エプロンを備えた浴室の換気構造に関するものである。
【背景技術】
【０００２】
従来より、浴室の換気構造としては、図５に示すように、浴室天井５に換気扇を設けると共に、浴室ドアにガラリを備える通気口８０を設けた構造が採られている。換気扇を駆動することで浴室４内の多湿な空気を吸い出すと共に、脱衣室等の浴室４外から前記通気口８０を介して浴室４内に湿度の低い新鮮な空気を流入させ、浴室４の換気を行うものである。また、浴室天井５に送風、換気、乾燥を行う換気乾燥機を設けたものが知られている（例えば特許文献１参照）。これは図６に示すように、換気乾燥機を駆動することで浴室４内の多湿な空気を吸い出すと共にその一部を乾燥させて浴室４内に吐出し、また、脱衣室等の浴室４外から前記通気口８０を介して浴室４内に湿度の低い新鮮な空気を流入させるものである。いずれにしても換気のための吸気機能を備えた装置６が浴室４に設けてあり、浴室４外から前記通気口８０を介して浴室４内に湿度の低い新鮮な空気を流入させるものである。
【特許文献１】特開２００６−７８１３１号公報
【特許文献２】特開平１１−７６０８５号公報
【発明の開示】
【発明が解決しようとする課題】
【０００３】
ところで、浴槽１には、洗い場から湯水が浴槽１側に浸入しないようにエプロン１２がよく設けられている（例えば特許文献２参照）。
【０００４】
このようなエプロン１２を設けた浴室４にあっては、上述した従来の浴室４の換気構造を採る場合には、エプロン１２内の空間１３、すなわち浴室壁３と浴室床２と浴槽１のフランジ部１１とエプロン１２とで囲まれる空間内の換気を行うことができないものであった。つまり、浴室４外からの新鮮な空気はガラリ等を介して浴室４のエプロン１２外の空間に流入し、上記吸気機能を備えた装置６によって浴室４のエプロン１２外の空間の空気を吸い出すため、通気口８０から吸気機能を備えた装置６に至る空気の流れが形成され、エプロン１２内の空間１３は換気が行われないものであった。
【０００５】
このため、エプロン１２内の空間１３にあっては、一度浸入した湯水は、なかなか乾燥せずに長期間留まることとなり、またエプロン１２を取り外すことはメンテナンス以外ではあまりないため、エプロン１２内の空間１３の掃除もあまりされない。またエプロン１２を取り外しても、浴槽１の裏側等の奥には手も届かないため、掃除がなされることは殆どない。近年はミストサウナ等の機器が良く設置されており、高湿度の空気がエプロン内の空間に大量に流入することが多く、カビの発生やこれに伴う健康被害、悪臭が懸念されるものであった。
【０００６】
本発明は上記従来の問題点に鑑みて発明したものであって、その目的とするところは、エプロンを備えた浴室において、エプロン内の空間の換気を行うことのできる浴室の換気構造を提供することを課題とするものである。
【課題を解決するための手段】
【０００７】
上記課題を解決するために請求項１に係る発明は、浴槽１のフランジ部１１と浴室床２との間に、洗い場から湯水が浴槽１側に浸入しないようにするエプロン１２を設け、浴室壁３と浴室床２と浴槽１のフランジ部１１とエプロン１２とで囲まれるエプロン１２内の空間１３の換気を行うため、エプロン１２内の空間１３に対応する浴室壁３に通気開口３０を形成して成ることを特徴とするものである。
【０００８】
このような構成とすることで、浴室４外の低湿の新鮮な空気をエプロン１２内の空間１３に流入させ、エプロン１２内の空間１３の空気の換気を行うことが可能となる。
【０００９】
また請求項２記載の発明にあっては、請求項１記載の発明において、通気開口３０に通気風量の調節機構を設けて成る特徴とするものである。
【００１０】
このような構成とすることで、浴室４外からエプロン１２内の空間１３に流入する空気の通気風量の調節が可能となる。
【００１１】
また請求項３記載の発明にあっては、請求項１又は２記載の発明において、通気開口３０に、浴室４外からエプロン１２内の空間１３に空気が流入可能で且つエプロン１２内の空間１３から浴室４外に流出不可となる逆止構造７１を設けて成ることを特徴とするものである。
【００１２】
このような構成とすることで、浴室４内の空気が通気開口３０を介して浴室４外へ漏れ出すのを防止することが可能となる。
【発明の効果】
【００１３】
本発明にあっては、エプロン１２内の空間１３でのカビの発生を抑えると共に、健康被害や悪臭の発生を防止することができるものである。
【発明を実施するための最良の形態】
【００１４】
以下、本発明について添付図面に基づいて説明する。浴室としては、建物躯体の浴室の他に、建物躯体の浴室スペースの床面上に浴室ユニットを設置して構成してもよく、特に限定されない。
【００１５】
図１に示す例や図２に示す例のように、浴室４には、浴槽１が設置されている。通常は、浴室４の長手方向の一方の側を浴槽設置スペース４１とすると共に、他方の側を洗い場スペース４２とし、この浴槽設置スペース４１に浴槽１を設置する。そして、浴槽設置スペース４１と洗い場スペース４２の境界部分には、浴槽１のフランジ部１１から浴室床２にかけてエプロン１２を設置してある。
【００１６】
また、浴室天井５には、換気扇、あるいは換気乾燥機、あるいは暖房換気乾燥機、あるいはミストサウナ機能付暖房換気乾燥機といった、換気のための吸気機能を備えた装置６が設けてあり、この吸気機能を備えた装置６を駆動することで、浴室４内の多湿な空気を浴室４外へ吸い出すことができる。これに伴い、浴室４内に浴室４外の湿度の低い新鮮な空気が流入されるもので、これにあたっては、浴室ドアに形成した通気口８０を介して流入されるか、あるいは以下に説明する浴室壁３に形成した通気開口３０を介して流入されるものである。
【００１７】
通気開口３０は、図１〜図３に示すように、エプロン１２内の空間に対応する浴室壁３に形成されるものである。ここで、エプロン１２内の空間とは、浴室壁３と、浴室床２と、浴槽１のフランジ部１１と、エプロン１２とで囲まれる空間をいうものとする。
【００１８】
上記吸気機能を備えた装置６を駆動すると、浴室４内の多湿な空気が吸い出され、浴室４外からの空気が、浴室ドアに形成した通気口８０を介して流入すると共に、前記通気開口３０を介してエプロン１２内の空間に流入する。エプロン１２内の空間に流入した空気は、エプロン１２の周囲の隙間等を介して浴室４のエプロン１２外の空間に流入する。
【００１９】
通気開口３０には、図４に示すように、下方にのみ開口するフード７ａ（７）がエプロン１２内の空間側に設けてある。これにより、エプロン１２内の空間から該通気開口３０を介して浴室４外へ湯水が漏れ出すのを防止することができる。また本実施形態では、浴室壁３の浴室４外側にも、下方にのみ開口するフード７ｂ（７）が設けてあり、このフード７ｂには、浴室４外から浴室４（エプロン１２内の空間）内に空気が流入可能で且つ浴室４内の空気が該通気開口３０を介して浴室４外へ漏れ出すのを防止する逆止構造７１としてのダンパー７２が設けてあり、これにより、浴室４内の多湿な空気が浴室４外に漏れ出すのを防止することができる。
【００２０】
また通気開口３０には、浴室４外から虫等が侵入するのを防止するためのフィルター７３が設けてある。このフィルター７３は円形状をしていて、メッシュからなる通気部と通気性の無い非通気部とが等角度（本実施形態では４５°）毎に交互に並設してあると共に、前記フィルター７３とは別部材で、開口からなる通気部と通気性の無い非通気部とが等角度（本実施形態では４５°）毎に交互に並設してある閉塞部材７４を回転させて、通気部同士の重なりを調節することで、通気風量の調節が可能となっている。
【００２１】
以上のような通気開口３０を形成したことで、高湿度の空気がエプロン１２内の空間に流入していても、エプロン１２内の空間を換気して低湿度の空気にすることができて、カビの発生を抑えると共に、健康被害や悪臭の発生を防止することができるものである。
【図面の簡単な説明】
【００２２】
【図１】本発明の一実施形態の側断面図である。
【図２】別の例の側断面図である。
【図３】図１の例の要部側断面図である。
【図４】同上におけるフードを説明する図であり、（ａ）は分解した側断面図であり、（ｂ）はフィルター及び閉塞部材の正面図である。
【図５】従来例の浴室の説明図である。
【図６】別の従来例の浴室の説明図である。
【符号の説明】
【００２３】
１    浴槽
１１  フランジ部
１２  エプロン
１３  エプロン内の空間
２    浴室床
３    浴室壁
３０  通気開口
４    浴室
４１  浴槽設置スペース
４２  洗い場スペース
５    浴室天井
６    吸気機能を備えた装置
７    フード
７ａ  フード
７ｂ  フード
７１  逆止構造
７２  ダンパー
７３  フィルター
７４  閉塞部材
８    浴室ドア
８０  通気口
【図１】
2009287802.tif 000003
【図２】
2009287802.tif 000004
【図３】
2009287802.tif 000005
【図４】
2009287802.tif 000006
【図５】
2009287802.tif 000007
【図６】
2009287802.tif 000008